(57)【特許請求の範囲】
【請求項１】
前後左右側面及び底面が断熱された上方開放の筐体からなり、中間仕切板により第１熱湯殺菌槽と第２熱湯殺菌槽とに略中央部で左右に区画されたタンクと、
前記第１熱湯殺菌槽及び第２熱湯殺菌槽内後壁に沿って立設し、後壁上方に延び、コンテナを上方から前記第１熱湯殺菌槽及び第２熱湯殺菌槽内に案内するサポートガイドと、
皿状のパン本体と前記パン本体の四隅部から立設する立設部とを備え、前記タンク内に着脱自在に設置される立設部付きパンと、
前記タンクの上端を着脱自在に被蔽する保温キャップと、
前記タンクに水を供給する水供給手段と、
前記タンクに蒸気を供給する蒸気供給手段とを備えた熱湯殺菌装置であって、
前記中間仕切板の上端部には、前記第１熱湯殺菌槽から第２熱湯殺菌槽へ所定水位以上の水をオーバーフローさせるオーバーフロー部が形成され、
前記蒸気供給手段の供給先端部には蒸気供給時に蒸気供給音を消音させるサイレンサーが設けられていることを特徴とする熱湯殺菌装置。
【請求項２】
前記立設部付きパンの前記立設部には、前記立設部付きパンを前記タンク内に設置した時、前記タンク上端よりも更に上方に延設する延設部が形成され、前記延設部には前記立設部付きパンを搬送するための係合部が形成され、他方、前記係合部に係止自在の係止部を備えると共に、フォークリフトの爪を挿脱自在の挿脱孔を備えたパンアタッチメントが付属品として備えられ、前記パンアタッチメントによって、前記立設部付きパンが搬送されるように構成されたことを特徴とする請求項１記載の熱湯殺菌装置。
【請求項３】
前記サイレンサーは、蒸気を噴出する蒸気管先端部と、前記蒸気管先端部の前後を所定間隔離間して被蔽する外管とから成る二重管で形成され、前記蒸気管先端部は、先端が下方に向かって斜欠されていることを特徴とする請求項１または２記載の熱湯殺菌装置。
【請求項４】
１乃至複数のコンテナを載置させる基台と、前記基台の一端に固着され立設する立設部と、前記立設部の上端に固着され前記基台と同方向に延びる上端部とを備え、前記上端部にはフォークリフトの爪が挿脱する挿脱孔が形成されているコンテナアタッチメントが付属品として備えられ、前記コンテナアタッチメントによって前記コンテナが搬送され、前記タンク内に設置された前記立設部付きパン内に前記コンテナを浸漬させるように構成されていることを特徴とする請求項１乃至３のうちいずれか一に記載の熱湯殺菌装置。
【請求項５】
請求項４記載の熱湯殺菌装置の使用方法であって、フォークリフトの爪を前記パンアタッチメントの挿脱孔に挿入して、前記パンアタッチメントを取り付け、前記パンアタッチメントの係止部を前記立設部付きパンの係合部に係合して、前記立設部付きパンを取り付け、
前記立設部付きパンを前記サポートガイドの案内により前記第１熱湯殺菌槽内に設置し、前記立設部付きパンの係合部から、前記パンアタッチメントの係止部の係合を外して、前記立設部付きパンを切り離し、
同様にして前記第２熱湯殺菌槽内に他の立設部付きパンを設置し、
前記第１熱湯殺菌槽及び前記第２熱湯殺菌槽内に水を供給し、
次に、空のコンテナが載置された前記コンテナアタッチメントの挿脱孔にフォークリフトの爪を挿入して、フォークリフトに前記コンテナアタッチメントを取り付け、
前記コンテナを前記コンテナアタッチメントと共に前記サポートガイドの案内により前記第１熱湯殺菌槽に浸漬し、前記コンテナアタッチメントの挿脱孔からフォークリフトの爪を外して、フォークリフトから前記コンテナアタッチメントを切り離し、
同様にして前記第２熱湯殺菌槽内にも他のコンテナを浸漬し、
前記蒸気供給手段によって前記第１熱湯殺菌槽内及び前記第２熱湯殺菌槽内に蒸気を供給して槽内の水を所定温度に加温し、所定時間を経た後、前記第１熱湯殺菌槽及び前記第２熱湯殺菌槽から前記コンテナを夫々引き上げることを特徴とする熱湯殺菌装置の使用方法。
【請求項６】
請求項１乃至４のうちいずれか一に記載の熱湯殺菌装置の使用方法であって、前記第１熱湯殺菌槽と前記第２熱湯殺菌槽とに夫々前記立設部付きパンを設置し、前記第１熱湯殺菌槽に水を前記オーバーフロー部近傍まで供給すると共に、前記第２熱湯殺菌槽に前記第１熱湯殺菌槽よりも低い所定水位となるように水を供給し、前記第１熱湯殺菌槽にコンテナを浸漬させて前記第１熱湯殺菌槽の水を前記オーバーフロー部から前記第２熱湯殺菌槽にオーバーフローさせ、次に前記第２熱湯殺菌槽に他のコンテナを浸漬させることを特徴とする熱湯殺菌装置の使用方法。
【発明の詳細な説明】
【技術分野】
【０００１】
本発明は、玉ねぎや馬鈴薯等を収納し搬送するための空のコンテナを、薬品を用いることなく、迅速に殺菌または殺虫のための消毒が行なえる熱湯殺菌装置とその使用方法に関する。
【背景技術】
【０００２】
従来、収穫された農産物は、各生産者からコンテナに収納されて集荷場、或いは貯蔵庫まで運び込まれ、空になったコンテナは、また生産者のところに、それぞれ返却されている。
生産者のところに、夫々返却されるコンテナは、生産者が運び込んだ同じコンテナが返却されるとは限らないため、返却時に消毒が行なわれていないと、コンテナを介して菌や虫が広く他の生産者にも広がっていく虞がある。
【０００３】
そこで、コンテナの消毒が必要になるが、従来、一般に薬品を溶かした水の中にコンテナを浸漬して消毒を行なっていた。
しかし、その方法では、消毒後のコンテナを野ざらしにしておくと、雨等によりコンテナに付着して薬品が流れ落ち、土壌に蓄積したり、河川、川に流れ込む等して環境汚染や飲料水の汚染を招く虞があった。
又、コンテナに付着した薬品が農産物に付着して食品汚染の原因となる虞があった。
更に、コンテナを消毒した薬品が含まれる水の排水処理の問題が発生した。
【０００４】
尚、先行文献としては、例えば、特許文献１がある。特許文献１は、冷凍冷蔵コンテナを低濃度オゾンを用いて、脱臭殺菌を行なうものである。
【特許文献１】特開平１０−１６５４８７号公報
【発明の開示】
【発明が解決しようとする課題】
【０００５】
前述したように、コンテナの消毒が行なわれないと、コンテナを介して菌や虫が広く他の生産者にも広がっていく虞があり、また、薬品を用いてコンテナを消毒する方法は、環境汚染や飲料水の汚染、食品汚染、排水処理の問題を引き起こす虞がある。
尚、特許文献１はオゾン発生器等の設備コストがかかると共に、オゾン濃度を監視する必要があり、また、殺菌時間がかかる等の問題がある。
【０００６】
以上の現状に鑑み、本発明は、玉ねぎや馬鈴薯等を収納し搬送するためのコンテナを、薬品を用いることなく、迅速に殺菌または殺虫のための消毒が行なえる熱湯殺菌装置とその使用方法を提供することを目的とする。
【課題を解決するための手段】
【０００７】
上記の課題を解決すべく、本発明は以下の構成を提供する。
請求項１に係る発明は、前後左右側面及び底面が断熱された上方開放の筐体からなり、中間仕切板により第１熱湯殺菌槽と第２熱湯殺菌槽とに略中央部で左右に区画されたタンクと、
前記第１熱湯殺菌槽及び第２熱湯殺菌槽内後壁に沿って立設し、後壁上方に延び、コンテナを上方から前記第１熱湯殺菌槽及び第２熱湯殺菌槽内に案内するサポートガイドと、
皿状のパン本体（と前記パン本体の四隅部から立設する立設部とを備え、前記タンク内に着脱自在に設置される立設部付きパンと、
前記タンクの上端を着脱自在に被蔽する保温キャップと、
前記タンクに水を供給する水供給手段と、
前記タンクに蒸気を供給する蒸気供給手段とを備えた熱湯殺菌装置であって、
前記中間仕切板の上端部には、前記第１熱湯殺菌槽から第２熱湯殺菌槽へ所定水位以上の水をオーバーフローさせるオーバーフロー部が形成され、
前記蒸気供給手段の供給先端部には蒸気供給時に蒸気供給音を消音させるサイレンサーが設けられていることを特徴とする熱湯殺菌装置を提供するものである。
【０００８】
請求項２に係る発明は、前記立設部付きパンの前記立設部には、前記立設部付きパンを前記タンク内に設置した時、前記タンク上端よりも更に上方に延設する延設部が形成され、前記延設部には前記立設部付きパンを搬送するための係合部が形成され、他方、前記係合部に係止自在の係止部を備えると共に、フォークリフトの爪を挿脱自在の挿脱孔を備えたパンアタッチメントが付属品として備えられ、前記パンアタッチメントによって、前記立設部付きパンが搬送されるように構成されたことを特徴とする請求項１記載の熱湯殺菌装置を提供するものである。
【０００９】
請求項３に係る発明は、前記サイレンサーは、蒸気を噴出する蒸気管先端部と、前記蒸気管先端部の前後を所定間隔離間して被蔽する外管とから成る二重管で形成され、前記蒸気管先端部は、先端が下方に向かって斜欠されていることを特徴とする請求項１または２記載の熱湯殺菌装置を提供するものである。
【００１０】
請求項４に係る発明は、１乃至複数のコンテナを載置させる基台と、前記基台の一端に固着され立設する立設部と、前記立設部の上端に固着され前記基台と同方向に延びる上端部とを備え、前記上端部にはフォークリフトの爪が挿脱する挿脱孔が形成されているコンテナアタッチメントが付属品として備えられ、前記コンテナアタッチメントによって前記コンテナが搬送され、前記タンク内に設置された前記立設部付きパン内に前記コンテナを浸漬させるように構成されていることを特徴とする請求項１乃至３のうちいずれか一に記載の熱湯殺菌装置を提供するものである。
【００１１】
請求項５に係る発明は、請求項４記載の熱湯殺菌装置の使用方法であって、フォークリフトの爪を前記パンアタッチメントの挿脱孔に挿入して、前記パンアタッチメントを取り付け、前記パンアタッチメントの係止部を前記立設部付きパンの係合部に係合して、前記立設部付きパンを取り付け、
前記立設部付きパンを前記サポートガイドの案内により前記第１熱湯殺菌槽内に設置し、前記立設部付きパンの係合部から、前記パンアタッチメントの係止部の係合を外して、前記立設部付きパンを切り離し、
同様にして前記第２熱湯殺菌槽内に他の立設部付きパンを設置し、
前記第１熱湯殺菌槽及び前記第２熱湯殺菌槽内に水を供給し、
次に、空のコンテナが載置された前記コンテナアタッチメントの挿脱孔にフォークリフトの爪を挿入して、フォークリフトに前記コンテナアタッチメントを取り付け、
前記コンテナを前記コンテナアタッチメントと共に前記サポートガイドの案内により前記第１熱湯殺菌槽に浸漬し、前記コンテナアタッチメントの挿脱孔からフォークリフトの爪を外して、フォークリフトから前記コンテナアタッチメントを切り離し、
同様にして前記第２熱湯殺菌槽内にも他のコンテナを浸漬し、
前記蒸気供給手段によって前記第１熱湯殺菌槽内及び前記第２熱湯殺菌槽内に蒸気を供給して槽内の水を所定温度に加温し、所定時間を経た後、前記第１熱湯殺菌槽及び前記第２熱湯殺菌槽から前記コンテナを夫々引き上げることを特徴とする熱湯殺菌装置の使用方法を提供するものである。
【００１２】
請求項６に係る発明は、請求項１乃至４のうちいずれか一に記載の熱湯殺菌装置の使用方法であって、前記第１熱湯殺菌槽と前記第２熱湯殺菌槽とに夫々前記立設部付きパンを設置し、前記第１熱湯殺菌槽に水を前記オーバーフロー部近傍まで供給すると共に、前記第２熱湯殺菌槽に前記第１熱湯殺菌槽よりも低い所定水位となるように水を供給し、前記第１熱湯殺菌槽にコンテナを浸漬させて前記第１熱湯殺菌槽の水を前記オーバーフロー部から前記第２熱湯殺菌槽にオーバーフローさせ、次に前記第２熱湯殺菌槽に他のコンテナを浸漬させることを特徴とする熱湯殺菌装置の使用方法を提供するものである。
【発明の効果】
【００１３】
本発明の請求項１記載の発明によれば、玉ねぎや馬鈴薯等を収納し搬送するための空のコンテナを、薬品を用いることなく、迅速に殺菌または殺虫のための消毒が行なえる熱湯殺菌装置を提供することができる。
また、オーバーフロー部によって、第１熱湯殺菌槽を所定水位に調節できると共に、第１熱湯殺菌槽の水位に合わせて第２熱湯殺菌槽の水位も容易に調節することができる。
更に、サイレンサーによって、蒸気供給音を消音し、装置の稼動時の音量を低減できる。
【００１４】
請求項２記載の発明によれば、請求項１記載の発明の効果に加え、パンアタッチメントによって立設部付きパンを保持し、フォークリフトによって搬送することにより、第１熱湯殺菌槽及び第２熱湯殺菌槽内にドレンパンを設置したり取り出したりすることができる。
【００１５】
請求項３記載の発明によれば、請求項１または２記載の発明の効果に加え、二重管により、消音効果を高めることができると共に、蒸気管先端部の先端が下方に向かって斜欠されていることにより、蒸気を横方向に噴出させて、周りの湯を撹拌し、蒸気による加温効果を高めることができると共に、コンテナの汚れを落とす等の洗浄効果を高めることができる。
【００１６】
請求項４記載の発明によれば、請求項１乃至３のうちいずれか一に記載の発明の効果に加え、コンテナアタッチメントによって、コンテナを保持し、フォークリフトによって搬送することにより、第１熱湯殺菌槽及び第２熱湯殺菌槽内にコンテナを出し入れすることができる。
【００１７】
請求項５記載の発明によれば、請求項４記載の熱湯殺菌装置を用いて、玉ねぎや馬鈴薯等を収納し搬送するための空のコンテナを、薬品を用いることなく、迅速に殺菌または殺虫のための消毒及び洗浄を行なうことができる。
【００１８】
請求項６記載の発明によれば、請求項１乃至４のうちいずれか一に記載の熱湯殺菌装置を用いて、第１熱湯殺菌槽をオーバーフロー部によって所定水位に調節できると共に、第１熱湯殺菌槽の水位に合わせて、第２熱湯殺菌槽の水位も調節することができる。又、水をタンクから無駄に溢れさせる虞もない。
【発明を実施するための最良の形態】
【００１９】
以下、実施例を示した図面を参照しつつ本発明の実施の形態を説明する。
図１に於いて、１は、本発明の熱湯殺菌装置であり、熱湯殺菌装置１は、前後左右側面及び底面が断熱された上方開放の筐体からなり、中間仕切板２により第１熱湯殺菌槽３と第２熱湯殺菌槽４とに略中央部で左右に区画されたタンク５と、第１熱湯殺菌槽３及び第２熱湯殺菌槽４内後壁に沿い所定間隔離間して夫々２本立設し、後壁上方に延び、後述するコンテナ（図７に於いて７２）を上方から第１熱湯殺菌槽３及び第２熱湯殺菌槽４内に夫々案内するサポートガイド６，６…と、タンク５内に着脱自在に設置される後述するドレンパン（上記「立設部付きパン」である。以後の説明でも「ドレンパン」と言う。図２に於いて３１，３５）と、タンク５の上端を着脱自在に被蔽する保温キャップ７と、タンク５に水を供給する水供給手段である自動給水配管８及び手動給水配管９と、タンク５に蒸気を供給する蒸気供給手段である蒸気配管１０とを備えたものである。
尚、図１に於いて、１１はオーバーフロータンクであり、１２はオーバーフロー管である。又、図示は省略するが、蒸気配管１０の開閉弁と連動して、第１熱湯殺菌槽３と第２熱湯殺菌槽４の槽内の温度を調節する温度調節器が適宜位置に設けられる。
【００２０】
そして、前記中間仕切板２の上端部には、第１熱湯殺菌槽３から第２熱湯殺菌槽４へ所定水位以上の水をオーバーフローさせるオーバーフロー部２１が形成され、蒸気配管１０の供給先端部には蒸気供給時に蒸気供給音を消音させるサイレンサー２２が設けられている。
【００２１】
前記サポートガイド６は、前述したように、第１熱湯殺菌槽３及び第２熱湯殺菌槽４内後壁に沿い所定間隔離間して夫々２本立設し、後壁上方に延び、更に、上端がやや後方に傾斜する形状を有し、コンテナの案内が円滑に行なわれるように構成されている。又、前記サポートガイド６は、運搬等の利便性のため、後壁上方に延びる部分が分割して取外し可能に形成されている。
【００２２】
前記自動給水配管８及び手動給水配管９には、図示省略の給水装置から水が供給される。又、前記蒸気配管１０には図示省略の蒸気ボイラーから蒸気が供給される。
尚、本発明の熱湯殺菌装置１と、熱湯殺菌装置１に水を供給する前記給水装置及び蒸気を供給する蒸気ボイラーとは、トラック等で搬送可能に構成されている。
【００２３】
サイレンサー２２は、図１（ｄ）及び図１（ｅ）に示す如く、蒸気を噴出する蒸気配管１０の蒸気管先端部１０ａと、蒸気管先端部１０ａの前後を所定間隔離間して被蔽する外管２３とから成る二重管で形成され、蒸気管先端部１０ａは、蒸気を横方向に噴出させるために先端が下方に向かって斜欠されており、外管２３は、蒸気管先端部１０ａの外周に略１２０度間隔で放射状に突設させたリブ１０ｂ，１０ｂ，１０ｂにより固着されている。
【００２４】
図２（ａ）、図２（ｃ）、及び、図２（ｅ）は、第１熱湯殺菌槽３に設置する第１ドレンパン３１を示している。第１ドレンパン３１は、皿状のドレンパン本体（上記「パン本体」である。以後の説明でも「ドレンパン本体」と言う。）３２と、第１ドレンパン本体３２の四隅部から立設する立設部３３，３３…とを備え、立設部３３には、第１ドレンパン３１をタンク５内に設置した時、タンク５上端よりも更に上方に延設する延設部３３ａが形成され、延設部３３ａには第１ドレンパンを搬送するための貫通孔状の係合部３３ｂが形成されている。尚、図２（ｃ）に於いて、３４は、前記立設部３３の立設状態を補強する補強部である。
【００２５】
図２（ｂ）、及び、図２（ｄ）は、第２熱湯殺菌槽４に設置する第２ドレンパン３５を示している。第２ドレンパン３５は、第１ドレンパン３１と同様に、皿状のドレンパン本体３６と、第２ドレンパン本体３６の四隅部から立設する立設部３７，３７…とを備え、立設部３７には、第２ドレンパン３５をタンク５内に設置した時、タンク５上端よりも更に上方に延設する延設部３７ａが形成され、延設部３７ａには第２ドレンパン３５を搬送するための貫通孔状の係合部３７ｂが形成されている。
【００２６】
図３は、前記第１ドレンパン３１又は第１ドレンパン３５を搬送するためのドレンパンアタッチメント（上記「パンアタッチメント」である。以後の説明でも「ドレンパンアタッチメント」と言う。）４１を示している。ドレンパンアタッチメント４１は、矩形状の枠体４２の上面にフォークリフト（図６に於いて７１）の爪を挿脱自在の中空部状の挿脱孔４３を備えた２本の角筒状の筒状体４４，４４が前後方向に所定間隔離間して掛架され、枠体４２の四隅部下面に下方に突出し、更に後方に突出する鉤状の係止部４５，４５…が形成されている。尚、前記筒状体４４は、前部に於いて、内筒が外筒に対してスライド自在の二重管に形成され、フォークリフトの爪の構成に合わせて、内筒の前部中空部である挿脱孔４３の位置を調節自在に形成されている。
そして、挿脱孔４３，４３にフォークリフトの爪を挿入して、ドレンパンアタッチメント４１をフォークリフトに取り付け、係止部４５，４５…を第１ドレンパン３１の係合部３３ｂ，３３ｂ…に夫々係合させれば、第１ドレンパン３１をフォークリフトで保持することができる。
又、同様の方法で、第２ドレンパン３５を保持することができる。
【００２７】
図４は、コンテナを搬送するためのコンテナアタッチメント５１を示している。コンテナアタッチメント５１は、１乃至複数の空のコンテナを載置させる基台５２と、基台５２の前端に固着され立設する立設部５３と、立設部５３の上端に固着され基台５２と同方向に延びる２本の角筒から構成される上端部５４とを備え、上端部５４の角筒の中空部が、フォークリフトの爪を挿脱させる挿脱孔５５として使用される。尚、フォークリフトの爪の構成に合わせて挿脱孔５５の位置を調節するため、前記上端部５４は、前後方向に位置を調節自在に取付けられる。
前記立設部５３は、左右の支柱体５６，５６と、支柱体５６，５６に掛架される４本の掛架体５７，５７…とを備えて枠体状に形成され、支柱体５６は、図４（ｃ）に示すように、Ｕ型鋼で形成され、更に、補強のため軸方向に延びる２本の補強部材５８，５８がＵ型鋼の幅方向中央部に所定間隔離間して固着されている。
【００２８】
図５は、保温キャップ７を示している。保温キャップ７は、第１熱湯殺菌槽３と、第２熱湯殺菌槽４の上端開放部を被蔽して保温を図るためのものであり、天板７ａと、左右側板７ｂ，７ｃと前板７ｄとから形成され、中央部で左右に分割されており、分割された左右又はいずれか一方の分割中央部にはシールのためのパッキンが設けられ、第１熱湯殺菌槽３と、第２熱湯殺菌槽４の上端開放部と接触する接触部にもシールのためのパッキンが適宜設けられている。尚、図に於いて、６１は、サポートガイド６を通過させるための切欠き部である。
【００２９】
而して、前記熱湯殺菌装置１の使用方法を説明すると、図６に示すように、フォークリフト７１の爪をドレンパンアタッチメント４１の挿脱孔に挿入して、ドレンパンアタッチメント４１を取り付け、ドレンパンアタッチメント４１の係止部を第１ドレンパン３１の係合部に係合して、第１ドレンパン３１を取り付け、第１ドレンパン３１をサポートガイド６，６…に沿わせ、サポートガイド６，６…の案内により第１熱湯殺菌槽３内に設置し、第１ドレンパン３１の係合部から、ドレンパンアタッチメント４１の係止部の係合を外して、第１ドレンパン３１を切り離す。
同様の方法で第２熱湯殺菌槽４内に第２ドレンパン３５を設置する。
【００３０】
次に、第１熱湯殺菌槽３及び第２熱湯殺菌槽４内に水を供給し、図７に示すように、玉ねぎや馬鈴薯等を収納し搬送するための空になったコンテナ７２，７２…をコンテナアタッチメント５１に載置し、コンテナアタッチメント５１の挿脱孔にフォークリフト７１の爪を挿入して、フォークリフト７１にコンテナアタッチメント５１を取り付け、コンテナ７２，７２…をコンテナアタッチメント５１と共にサポートガイド６，６…に沿わせて、サポートガイド６，６…の案内により第１熱湯殺菌槽３内の第１ドレンパン３１内に浸漬し、コンテナアタッチメント５１の挿脱孔からフォークリフト７１の爪を外して、フォークリフト７１からコンテナアタッチメント５１を切り離し、同様にして第２熱湯殺菌槽４内にも他のコンテナ７２，７２…を浸漬する。
【００３１】
次に、蒸気配管１０によって第１熱湯殺菌槽３内及び第２熱湯殺菌槽４内に蒸気を供給して槽内の水を所定温度（例えば、８０℃）に加温し、所定時間を経た後、第１熱湯殺菌槽３及び第２熱湯殺菌槽４からコンテナ７２，７２…を夫々引き上げ、熱湯殺菌及び洗浄作業（蒸気は洗浄効果も有している。）を終了する。尚、槽内の加温温度は８０℃に限定されるものではなく、所定の温度範囲（例えば、７０℃〜１００℃の範囲）で適宜温度に設定される。
【００３２】
図８は、前述した第１熱湯殺菌槽３及び第２熱湯殺菌槽４内に水を供給する方法を示している。
第１熱湯殺菌槽３と第２熱湯殺菌槽４とに夫々ドレンパンを設置（図示省略）したのち、同図（ａ）に示す如く、第１熱湯殺菌槽３に水をオーバーフロー部２１近傍まで供給すると共に（この場合、オーバーフローさせても良い。）、第２熱湯殺菌槽４に第１熱湯殺菌槽３よりも低い所定水位となるように水を供給し、同図（ｂ）に示す如く、第１熱湯殺菌槽３にコンテナ７２，７２…を浸漬させて第１熱湯殺菌槽３の水をオーバーフロー部２１から第２熱湯殺菌槽４にオーバーフローさせ、次に、同図（ｃ）に示す如く、第２熱湯殺菌槽４に他のコンテナ７２，７２…を浸漬させる。
【００３３】
この方法によると、まず、第１熱湯殺菌槽３をオーバーフロー部２１を目安として（又は、オーバーフロー部２１からオーバーフローさせて）所定水位に調節できると共に、第１熱湯殺菌槽３の水位を目安として第２熱湯殺菌槽４に第１熱湯殺菌槽３よりも低い所定水位となるように水を供給することができ、第２熱湯殺菌槽４にコンテナ７２，７２…を浸漬させた時、第２熱湯殺菌槽４の水位を第１熱湯殺菌槽３と略同水位にすることができる。又、水をタンク５から無駄に溢れさせる虞もない。
尚、細かい水位調整は、手動給水配管９を使って行なうことができる。又、第２熱湯殺菌槽４をオーバーフロー部２１を越える水位にすると、第１熱湯殺菌槽３と第２熱湯殺菌槽４とを同水位にすることができる。
【図面の簡単な説明】
【００３４】
【図１】（ａ）本発明による熱湯殺菌装置の正面図である。（ｂ）本発明による熱湯殺菌装置の平面図である。（ｃ）本発明による熱湯殺菌装置の側面図である。（ｄ）本発明によるサイレンサーの一部正面断面図である。（ｅ）本発明によるサイレンサーの断面図である。
【図２】（ａ）本発明による第１ドレンパンの平面図である。（ｂ）本発明による第２ドレンパンの平面図である。（ｃ）本発明による第１ドレンパンの正面図である。（ｄ）本発明による第２ドレンパンの正面図である。（ｅ）本発明による第１ドレンパンの側面図である。
【図３】（ａ）本発明によるドレンパンアタッチメントの平面図である。（ｂ）本発明によるドレンパンアタッチメントの正面図である。（ｃ）本発明によるドレンパンアタッチメントの側面図である。
【図４】（ａ）本発明によるコンテナアタッチメントの正面図である。（ｂ）本発明によるコンテナアタッチメントの側面図である。（ｃ）本発明によるコンテナアタッチメントの支柱体の断面図である。（ｄ）本発明によるコンテナアタッチメントの上端部の一部正面図である。（ｅ）本発明によるコンテナアタッチメントの上端部の一部側面図である。
【図５】（ａ）本発明による保温キャップの平面図である。（ｂ）本発明による保温キャップの正面図である。（ｃ）本発明による保温キャップの側面断面図である。（ｄ）本発明による保温キャップの側面図である。
【図６】（ａ）〜（ｄ）本発明による熱湯殺菌装置の使用法のうち、ドレンパンをタンク内に浸漬する方法の説明図である。
【図７】（ａ）〜（ｄ）本発明による熱湯殺菌装置の使用法のうち、コンテナをタンク内に浸漬する方法の説明図である。
【図８】（ａ）〜（ｃ）本発明による熱湯殺菌装置の使用法のうち、タンク内に給湯する方法の説明図である。
【符号の説明】
【００３５】
１  熱湯殺菌装置
２  中間仕切板
３  第１熱湯殺菌槽
４  第２熱湯殺菌槽
５  タンク
６  サポートガイド
７  保温キャップ
１０ａ  蒸気管先端部
２１  オーバーフロー部
２２  サイレンサー
２３  外管
３２，３６  ドレンパン本体
３３，３７，５３  立設部
３３ａ，３７ａ  延設部
３３ｂ，３７ｂ  係合部
４１  ドレンパンアタッチメント
４３，５５  挿脱孔
４５  係止部
５１  コンテナアタッチメント
５２  基台
５４  上端部
７１  フォークリフト
７２  コンテナ
【図１】
0004864856.tif 000002
【図２】
0004864856.tif 000003
【図３】
0004864856.tif 000004
【図４】
0004864856.tif 000005
【図５】
0004864856.tif 000006
【図６】
0004864856.tif 000007
【図７】
0004864856.tif 000008
【図８】
0004864856.tif 000009